(57)【要約】【課題】外気導入と内気循環を自動選択するにあたり、乗員の好みに合わせて自動選択することが可能な移動体用空調装置を提供する。【解決手段】外気中に含まれる匂いおよび／またはガス成分を検知するガスセンサ６６と、  移動体の室内への外気導入と内気循環とを切り替える内外気切替手段Ａと、この内外気切替手段Ａによる内外気切替を手動で指示する内外気切替スイッチ５１と、ガスセンサ６６の検知信号およびこの検知信号を評価する閾値に基いて、内外気切替手段Ａによる内外気切替を制御する制御手段２００とを備え、  制御手段２００は、内外気切替スイッチ５１より内外気指示信号を受けたとき、ガスセンサ６６の検知信号の大きさに応じて閾値を修正することを特徴とする。【選択図】    図１
2005170255.tif 000002
【特許請求の範囲】
【請求項１】
外気中に含まれる匂いおよび／またはガス成分を検知するガスセンサと、
移動体の室内への外気導入と内気循環とを切り替える内外気切替手段と、
この内外気切替手段による内外気切替を手動で指示する内外気切替スイッチと、
前記ガスセンサの検知信号と、この検知信号を評価する閾値とに基いて、前記内外気切替手段による内外気切替を制御する制御手段とを備え、
前記制御手段は、前記内外気切替スイッチより内外気指示信号を受けたとき、前記ガスセンサの前記検知信号の大きさに応じて前記閾値を修正することを特徴とする移動体用空調装置。
【請求項２】
外気中に含まれる複数の匂いおよび／またはガス成分を検知する複数のガスセンサと、
移動体の室内への外気導入と内気循環とを切り替える内外気切替手段と、
この内外気切替手段による内外気切替を手動で指示する内外気切替スイッチと、
前記複数のガスセンサの各検知信号の大きさと、乗員の許容状態を設定する各閾値とを比較し、その比較結果に応じて前記内外気切替手段による内外気切替を制御する制御手段とを備え、
前記制御手段は、前記内外気切替スイッチより内外気指示信号を受けたとき、前記ガスセンサの前記検知信号の大きさに応じて前記閾値を修正することを特徴とする移動体用空調装置。
【請求項３】
前記制御手段は、前記ガスセンサの前記検知信号を、検知した時系列関係が分かる形で記憶する記憶装置を有し、前記内外気指示信号を受けたとき、前記ガスセンサが検知してから前記移動体の室内に入るまでの外気移動時間だけ以前の前記検知信号を前記記憶装置より読み出し、この読み出した検知信号の大きさに応じて前記閾値を修正することを特徴とする請求項１または請求項２記載の移動体用空調装置。
【請求項４】
前記制御手段は、前記内外気指示信号を受けたとき、前記外気移動時間だけ以前の前記検知信号を前記記憶装置より読み出し、この読み出した検知信号の大きさに前記閾値を更新することを特徴する請求項３記載の移動体用空調装置。
【請求項５】
前記制御手段は、内気循環を示す前記内外気指示信号を受けたとき、前記外気移動時間だけ以前の前記検知信号を前記記憶装置より読み出し、この読み出した検知信号の中で臭気もしくは有害ガス成分を示す前記検知信号について、その大きさに前記閾値を更新することを特徴とする請求項３または請求項４記載の移動体用空調装置。
【請求項６】
前記制御手段は、外気導入を示す前記内外気指示信号を受けたとき、前記外気移動時間だけ以前の前記検知信号を前記記憶装置より読み出し、この読み出した検知信号の中で香気を示す前記検知信号について、その大きさに前記閾値を更新することを特徴とする請求項３または請求項４記載の移動体用空調装置。
【請求項７】
前記移動体の室内空気（内気）中に含まれる臭気もしくは喫煙を検知する内気ガスセンサを設け、
前記制御手段は、外気導入を示す前記内外気指示信号を受けると共に、前記内気ガスセンサで検知した検知信号に基いて臭気もしくは喫煙が許容範囲内にあるとき、前記記憶装置に記憶された前記外気移動時間だけ以前の前記検知信号の大きさに、前記閾値を更新することを特徴とする請求項３または請求項４記載の移動体用空調装置。
【請求項８】
外気中の湿度を検知する湿度センサを設け、
前記制御手段は、外気導入を示す前記内外気指示信号を受けると共に、前記湿度センサで検知した湿度信号に基いて湿度が許容範囲内にあるとき、前記記憶装置に記憶された前記外気移動時間だけ以前の前記検知信号の大きさに、前記閾値を更新することを特徴とする請求項３または請求項４記載の移動体用空調装置。
【請求項９】
前記移動体の室内空気中に含まれる臭気もしくは喫煙を検知する内気ガスセンサと、外気中の湿度を検知する湿度センサとを設け、
前記制御手段は、外気導入を示す前記内外気指示信号を受けたとき、前記内気ガスセンサで検知した臭気もしくは喫煙の状態、および前記湿度センサで検知した湿度の状態のいずれもが許容範囲内にあるとき、前記閾値を更新することを特徴とする請求項３または請求項４記載の移動体用空調装置。
【請求項１０】
前記ガスセンサは、共通の検出体を用いて、外気中に含まれる複数の匂いおよび／またはガス成分を検知するマルチガスセンサで構成されることを特徴とする請求項１記載の移動体用空調装置。
【請求項１１】
前記ガスセンサは、前記内外気切替手段の外気吸入口の外側近傍に配置され、前記外気取込口に導入される外気中に含まれる匂いおよび／またはガス成分を検知することを特徴とする請求項１または請求項２記載の移動体用空調装置。
【発明の詳細な説明】
【技術分野】
【０００１】
本発明は、少なくとも室外空気の状態を検知して外気導入と内気循環の選択を自動で行う内外気切替機能を備えた移動体用空調装置に関する。
【背景技術】
【０００２】
従来、自動内外気切替機能を備えた車両用空調装置によれば、車室内にいる乗員が排気ガス等の臭気を感じないようにするために、排気ガスセンサを用い、排気ガス中の特定ガス、例えばＣＯ、ＨＣなどのいわゆる還元性ガス、またはＮＯｘなどの酸化性ガスのガス濃度を検知している。そして予め設定した閾値等を用いて検知したガス濃度を評価し、室外空気中に所定量を超える排気ガス濃度を検知した場合に、空調装置の内外気切替ドアを自動で内気循環側にして、室外のガスや臭気が室内に侵入するのを防止する技術が知られている（特許文献１、２参照）。
【特許文献１】特開２００３−８０９２６号公報
【特許文献２】特開２００２−２２６９３号公報
【発明の開示】
【発明が解決しようとする課題】
【０００３】
しかしながら、車室内にいる乗員が臭気を感じるガス濃度のレベルにはバラツキがあり、予め設定した閾値を用いたのでは多様な乗員の好みに合わなくなる恐れがある。このことは自動車に限らずバス、軌道車両、船舶等の移動体にも共通するところがある。ちなみに、最近は排気ガス成分の他に、工場や農場等が発生原因とされるアンモニアや硫化水素などの臭気や有害ガスを検知したり、例えば森林の匂いなどの香気を検知するガスセンサが開発され、多種多様な匂いを検知することが可能になってきている。
【０００４】
本発明は、上記点を考慮してなされたものであり、外気導入と内気循環を自動選択するにあたり、乗員の好みに合わせて自動選択することが可能な移動体用空調装置を提供することを目的とする。
【課題を解決するための手段】
【０００５】
上記目的を達成するため、請求項１ないし請求項１１に記載の技術的手段を採用する。
【０００６】
請求項１記載の発明によれば、外気中に含まれる匂いおよび／またはガス成分を検知するガスセンサと、移動体の室内への外気導入と内気循環とを切り替える内外気切替手段と、
この内外気切替手段による内外気切替を手動で指示する内外気切替スイッチと、ガスセンサの検知信号と、この検知信号を評価する閾値とに基いて、内外気切替手段による内外気切替を制御する制御手段とを備え、制御手段は、内外気切替スイッチより内外気指示信号を受けたとき、ガスセンサの検知信号の大きさに応じて閾値を修正することを特徴とする。
【０００７】
それにより、移動体の乗員が手動で内外気切替する時点の検知信号の大きさ、つまり外気中に含まれる匂いやガス成分の濃度に応じた閾値に修正できるため、乗員の好みに合った外気のガス濃度状態で内外気の自動切替が可能となる。
【０００８】
請求項２記載の発明によれば、外気中に含まれる複数の匂いおよび／またはガス成分を検知する複数のガスセンサと、移動体の室内への外気導入と内気循環とを切り替える内外気切替手段と、この内外気切替手段による内外気切替を手動で指示する内外気切替スイッチと、複数のガスセンサの各検知信号の大きさと、乗員の許容状態を設定する各閾値とを比較し、その比較結果に応じて内外気切替手段による内外気切替を制御する制御手段とを備え、制御手段は、内外気切替スイッチより内外気指示信号を受けたとき、ガスセンサの検知信号の大きさに応じて閾値を修正することを特徴とする。
【０００９】
それにより、移動体の乗員が手動で内外気切替する時点の検知信号の大きさ、つまり外気中に含まれる複数の匂いやガス成分毎に濃度に応じて対応する各閾値に修正できるため、複数の匂いやガス成分にきめ細かく対応させて、乗員の好みに合った外気のガス濃度状態で内外気の自動切替が可能となる。
【００１０】
請求項３記載の発明によれば、制御手段は、ガスセンサの検知信号を、検知した時系列関係が分かる形で記憶する記憶装置を有し、内外気指示信号を受けたとき、ガスセンサが検知してから移動体の室内に入るまでの外気移動時間だけ以前の検知信号を記憶装置より読み出し、この読み出した検知信号の大きさに応じて閾値を修正することを特徴とする。それにより、乗員が不快もしくは快適と感じる匂いやガス成分の状態を確実に捉えて評価することが可能となり、自動内外気切替タイミングを的確にし、より一層乗員の好みに合わせることが可能となる。
【００１１】
請求項４記載の発明によれば、制御手段は、内外気指示信号を受けたとき、外気移動時間だけ以前の検知信号を記憶装置より読み出し、この読み出した検知信号の大きさに閾値を更新することで、その後はこの匂いやガス成分の濃度状態でもって自動内外気切替を行うことが可能となり、より一層乗員の好みに合わせ、乗員が手動で内外気切替を行うことを少なくすることが可能になる。
【００１２】
請求項５記載の発明によれば、制御手段は、内気循環を示す内外気指示信号を受けたとき、外気移動時間だけ以前の検知信号を記憶装置より読み出し、この読み出した検知信号の中で臭気もしくは有害ガス成分を示す検知信号について、その大きさに閾値を更新することを特徴とする。それにより、その後はこの臭気や有害ガス成分の濃度状態でもって自動内気切替を行うことが可能となり、より一層乗員の好みに合わせ、室内環境を快適にすることが可能となる。
【００１３】
請求項６記載の発明によれば、制御手段は、外気導入を示す内外気指示信号を受けたとき、外気移動時間だけ以前の検知信号を記憶装置より読み出し、この読み出した検知信号の中で香気を示す検知信号について、その大きさに閾値を更新することを特徴とする。それにより、その後はこの香気の濃度状態でもって自動内気切替を行うことが可能となり、乗員の好みに合わせてより香気を室内に導入し易くし、室内環境を一層快適にすることが可能となる。
【００１４】
請求項７記載の発明によれば、移動体の室内空気（内気）中に含まれる臭気もしくは喫煙を検知する内気ガスセンサを設け、
制御手段は、外気導入を示す内外気指示信号を受けると共に、内気ガスセンサで検知した検知信号に基いて臭気もしくは喫煙が許容範囲内にあるとき、記憶装置に記憶された外気移動時間だけ以前の検知信号の大きさに、閾値を更新することを特徴とする。
【００１５】
それにより、外気導入を示す内外気指示信号を受けたときでも、室内の臭気や喫煙時の換気（外気導入）時を除外し、乗員が快適性向上のために外気導入する機会をより確実に捉えて閾値を更新することが可能となり、より一層乗員の好みに合わせ、室内環境を快適にすることが可能となる。
【００１６】
請求項８記載の発明によれば、外気中の湿度を検知する湿度センサを設け、
制御手段は、外気導入を示す内外気指示信号を受けると共に、湿度センサで検知した湿度信号に基いて湿度が許容範囲内にあるとき、記憶装置に記憶された外気移動時間だけ以前の検知信号の大きさに閾値を更新することを特徴とする。
【００１７】
それにより、外気導入を示す内外気指示信号を受けたときでも、運転視界の確保上、窓曇りを防止するために外気導入する場合を除外するようにし、乗員が快適性向上のために外気導入する機会をより確実に捉えて閾値を更新することが可能となり、より一層乗員の好みに合わせ、室内環境を快適にすることが可能となる。
【００１８】
請求項９記載の発明によれば、移動体の室内空気中に含まれる臭気もしくは喫煙を検知する内気ガスセンサと、外気中の湿度を検知する湿度センサとを設け、
制御手段は、外気導入を示す内外気指示信号を受けたとき、内気ガスセンサで検知した臭気もしくは喫煙の状態、および記湿度センサで検知した湿度の状態のいずれもが許容範囲内にあるとき、閾値を更新することを特徴とする。
【００１９】
それにより、外気導入を示す内外気指示信号を受けたときでも、室内の臭気および喫煙時の換気や窓曇り防止のための外気導入の場合を除き、乗員が快適性向上のために外気導入する機会をより確実に捉えて閾値を更新することが可能となり、より一層乗員の好みに合わせ、室内環境を快適にすることが可能となる。
【００２０】
請求項１０記載の発明によれば、ガスセンサは、共通の検出体を用いて、外気中に含まれる複数の匂いおよび／またはガス成分を検知するマルチガスセンサで構成され、少ないセンサ数で複数の匂いやガス成分を効果的に検出可能になる。
【００２１】
請求項１１記載の発明によれば、ガスセンサは、内外気切替手段の外気取込口の外側近傍に配置され、外気取込口に導入される外気中に含まれる匂いおよび／またはガス成分を検知することで、移動体の室内に導入される可能性の高い外気成分を確実に検知することが可能となる。
【発明を実施するための最良の形態】
【００２２】
以下、本発明の実施形態について図を用いて説明する。
【００２３】
（第１実施形態）
図１は、移動体に搭載される空調装置の全体構成図である。
【００２４】
この空調装置は、バス、自動車、軌道車両、船舶等の移動体の室内の温度を乗員により設定された所望温度に保つように自動制御するオートエアコンであり、室内を空調するためのエアコンユニット１００と、このエアコンユニット１００を構成する機器を制御するエアコン制御装置２００を有する。ここでは、移動体として車両に適用した空調装置の構成について説明する。
【００２５】
エアコンユニット１００は、インスツルメントパネルの裏面側下方に配置されて、車室内に空調空気を導く空気通路１１を形成する空調ダクト２０を有している。この空調ダクト２０の空気流れの最上流側には内気吸入口２１と外気吸入口２２を有する内外気切替箱Ａが設けられている。これらの吸入口２１、２２の内側には内外気切替ドア２３が回動自在に取り付けられており、この内外気切替ドア２３をサーボモータ等のアクチュエータ４０により駆動することにより、内気循環モード、外気導入モードの間で吸込モードの切替が行われる。
【００２６】
なお、必要に応じて、内気循環と外気導入の他に、内外気切替ドア２３を内気吸入口２１と外気吸入口２２との中間位置に固定し、外気導入しながら内気循環させる半内気循環（半外気導入）とする構成を設けてもよい。
【００２７】
この空調ダクト２０内の内外気切替箱Ａの下流側には空気を送る遠心式のブロワユニット３０が設けられている。このブロワユニット３０は、空調ダクト２０と一体的に構成されたスクロールケースに回転自在に収納された遠心式ファン３１と、この遠心式ファン３１を回転駆動するブロワモータ３２を有している。この遠心式ファン３１の回転速度（送風量、吹出量）の制御は、ブロワ駆動回路３３を介してブロワモータ３２に印加される電圧を制御することにより行われる。
【００２８】
ブロワユニット３０の下流側には、冷凍サイクルの一部を構成するエバポレータ２４が配設され、冷媒と導入された空気との間で熱交換を行うことにより、導入空気を除湿、冷却する。その下流側にはエンジン冷却水が流れるヒ−タコア２５が配設され、除湿、冷却した空気とエンジン冷却水との間で熱交換を行うことでこの空気を加熱する。ヒータコア２５の空気入口側にはエアミックスドア２６が回動自在に配置され、サーボモータ等のアクチュエータ４５により駆動されて、ヒータコア２５を通過する空気量とヒータコア２５を迂回する空気量との割合を調節して所望の空調空気を形成し、車室内に吹出す空調空気の温度を調節する。
【００２９】
空調ダクト２０の空気流れの最下流側には吹出口切替箱Ｂが設けられており、フェイス（ＦＡＣＥ）開口部、フット（ＦＯＯＴ）開口部、デフロスタ（ＤＥＦ）開口部、およびインパネ上面開口部が形成され、これらの開口部にはダクト１２ａ，１３ａ，１４ａ，１５ａが接続されている。それらのダクト１２ａ，１３ａ，１４ａ，１５ａの最下流端には、乗員の上半身側に空調空気を直接送風するセンターおよびサイドの２種類のフェイス吹出口１２、乗員の足元に送風するフット吹出口１３、車両フロントガラス内面の根元側に送風するデフロスタ吹出口１４、およびフェイス吹出口１２とデフロスタ吹出口１４との間のインスツルメントパネルの上面よりフロントガラス内面側を経由して乗員側に空調空気を間接送風するインパネ上面吹出口１５が設けられている。
【００３０】
各吹出口１２〜１５の内側には、吹出口開閉ドア１６〜１８、および吹出量を調節するドア１９が回動自在に取り付けられており、サーボモータ等のアクチュエータ４１〜４４によりそれぞれ駆動することにより、各吹出口１２〜１５からの空調空気の吹出し、もしくは吹出量が個別に調節できる。また、吹出口モードとして、フェイスモード、バイレベルモード、フットモード、フットデフモード、およびデフモードがあり、後述するエアコン制御装置２００の指示に応じて吹出口モードの切替が行われる。
【００３１】
エアコン制御装置２００は、その内部に図示しないＣＰＵ、ＲＯＭ、ＲＡＭ等からなるマイクロコンピュータや入出力回路を有している。この制御装置２００内に搭載された記憶装置２０１は、書換え可能な不揮発性メモリ（例えばＥＥＰＲＯＭ、フラッシュメモリ、バックアップＲＡＭ）で構成され、後述する図５、７に示すような各ガスセンサの検知信号データや、各データ毎に判定処理するための各閾値が更新可能に記憶されている。
【００３２】
またエアコン制御装置２００には、車室内前面に設けた操作パネル５０の操作信号、例えば内外気切替スイッチ５１を乗員が手動操作、指示することで発生する内外気指示信号、エアコンＯＮ／ＯＦＦ情報、設定温度情報、ブロワ風量手動切替情報、吹出口モード手動切替情報、等が入力される。
【００３３】
エアコン制御装置２００には、さらに各種センサ６１〜６６からのセンサ信号が入力される。ここで各種センサ６１〜６６とは、車室内空気の温度（内気温）を検出する内気温センサ６１、車室外空気の温度（外気温）を検出する外気温センサ６２、車室内に照射される日射量を検出する日射センサ６３、エバポレータ２４下流側空気温度やエンジン冷却水温度を検出する温度センサ６４、車室内の天井部分および内気吸入口２１近傍に配置されて車室内空気中の煙草の煙（喫煙）や匂いを検出する内気ガスセンサ６５、および内外気切替箱Ａの外気吸入口２２の外側近傍もしくは車両のフロントグリルに配置されて、この外気吸入口２２から導入される車室外空気（外気）中に含まれる複数の匂い、例えばアンモニアや硫化水素等の臭気や、森の香りであるα―ピネン、β―ピネン、サビネンなどの香気、および有害ガス成分（ＨＣ、ＣＯ、ＮＯｘ等）を検知する複数のガスセンサの組合わせ、もしくは一体的なマルチガスセンサ６６である。
【００３４】
マルチガスセンサ６６は、信号処理回路を内蔵し、外気を導入・接触する検出体の温度を振らせ、各温度帯域での検出体の導電率変化特性をフーリエ変換することで、検出対象となる外気中の各ガス成分に対応したガス濃度情報を電気信号として取り出す構造であり、複数の匂い成分やガス成分を定量的に（例えば絶対値として）検知可能なセンサである。
【００３５】
これら各種センサ６１〜６６からのセンサ信号は、図示していない入出力回路で波形処理され、アナログ信号はデジタル信号に適宜ＡＤ変換される。また、車室内の熱負荷を求めるために内気温センサ６１や日射センサ６３を用いず、車室内の熱負荷を直接的に検出する赤外線センサを用いてもよい。
【００３６】
なお、破線で示すセンサ６７は、後述する第３実施形態で追加される湿度センサ６７であり、車室外空気の湿度を検出する構成である。
【００３７】
次に、エアコン制御装置２００による空調装置１００の作動を説明する。図２は、制御装置２００において実行される、エアコン制御処理のメインルーチンのフローチャートである。
【００３８】
図示していないイグニッションスイッチがＯＮされてこのルーチンが起動されると、まずデータ処理用メモリ（ＲＡＭ）の記憶内容等の初期化を行い（ステップ２１０）、続いて、操作パネル５０や各種センサ６１〜６６からの信号が入力処理される（ステップ２２０）。このステップ２２０では、マルチガスセンサ６６から出力される各検知信号を、予め設定した検知ガス成分もしくは匂い成分毎に読み込み、記憶装置２０１に対して検知ガス成分もしくは匂い成分毎に、時系列関係が分かるようにして、その都度検知信号データ（信号レベル等の大きさと検知時刻データ等）を記憶する。それによって、乗員が内外気切替操作した時点から所定時間Ｔ以前の各検知信号のデータを読み出せるようにする。
【００３９】
この所定時間Ｔとは、外気吸入口２２外側近傍に設けたマルチガスセンサ６６が該当する外気の匂いやガス成分を検知してから、その外気が空調ダクト２０や吹出口切替箱Ｂを経由して車室内に導入されるまでの外気移動時間であり、空調装置の配置や構造によっても異なるが乗用車では1秒程度の時間である。本例ではこの所定時間Ｔより少し長い時間、例えば現時点より過去３秒間の検知信号データを記憶するようにしてある。なお、マルチガスセンサ６６は、１個の検知対象について例えば１秒間に１〜２回程度の頻度で検知信号を発生する構成である。
【００４０】
各種信号に基いて車室の熱負荷（車室内外を移動する熱量の総和）に応じた必要吹出温度ＴＡＯを次式により算出する（ステップ２３０）。
【００４１】
（数１）
ＴＡＯ＝ＫＳＥＴ・ＴＳＥＴ−ＫＲ・ＴＲ−ＫＡＭ・ＴＡＭ−ＫＳ・ＴＳ＋Ｃ０
但し、ＴＳＥＴは設定温度、ＴＲは内気温センサ６１で求めた内気温、ＴＡＭは外気温センサ６２で求めた外気温、ＴＳは日射センサ６３で求めた日射量を表し、ＫＳＥＴ、ＫＲ、ＫＡＭ、ＫＳはゲインもしくは補正係数、Ｃ０は定数を表す。
【００４２】
次に、算出した必要吹出温度ＴＡＯより予め定めた制御特性に従ってブロワ制御電圧ＶＡを決定する（ステップ２４０）。内気循環および外気導入を切り替える内外気切替処理（吸込モード決定）では、手動操作による内外気指示信号がない場合は必要吹出温度ＴＡＯに基いて決定し（ステップ２５０）、車室内への外気導入と内気循環とを切り替える内外気切替処理を行う。
【００４３】
ここで、ステップ２５０に示す内外気切替処理について、図３を用いて説明する。
【００４４】
まず、乗員の手動操作による内外気指示信号、およびマルチガスセンサ６６からの最新の各検知信号を取り込む（ステップ２５１）。続いて、ステップ２５２において、もし内気循環を指示する内外気指示信号があればステップ２５５に進み、優先的に内気循環モードに切り替える。また外気導入を指示する内外気指示信号があればステップ２５６に進み、優先的に外気導入モードに切り替える。他方、内外気指示信号が出ていないときはステップ２５３に進む。
【００４５】
このステップ２５３は、通常行われている内外気の自動切替制御に相当し、ステップ２３０で求めた必要吹出温度ＴＡＯが設定値より低いとき、例えばクールダウン時などの冷房負荷の大きいときにはステップ２５５に進み、内気循環モードに切り替える。他方、必要吹出温度ＴＡＯが設定値より高いときには、一義的に外気導入モードとせずに、ステップ２５４において、マルチガスセンサ６６の各検知信号が１つでも閾値を超えていれば、車室外空気中に強い匂いや有害ガスありと判断してステップ２５５に進み、内気循環モードとする。各検知信号のいずれも各閾値を超えていなければステップ２５６に進み、外気導入モードに切り替えるようにしている。
【００４６】
このように、図３に示す内外気切替処理によれば、外気導入モードにあっても、車室外空気中に含まれる複数の匂い（臭気、香気）および有害ガス成分が、乗員に対して１つでも許容範囲外の（例えば許容状態を超える）状態にあるときには速やかに内気循環モードに切り替え、快適な車室内環境を維持可能にしている。
【００４７】
次に、図２に戻り、ステップ２６０では、必要吹出温度ＴＡＯに基いて各吹出口モードが決定され、各吹出口モードに応じて定まる各吹出口１２〜１５からの風量割合は、予め設定した値に固定されるのが基本である。その際、インパネ上面吹出口１５はフェイス吹出口１２の補完的役割を有し、車室内温度が所望の設定温度に略到達する略空調安定状態に至った場合は、フェイス吹出口１２からの空調空気が乗員に直接当たることによるドラフト感を解消するために、フェイス吹出口１２よりもインパネ上面吹出口１５からの空調空気の吹出量を増やし、間接的送風を行うようにしている。
【００４８】
続いて、算出した必要吹出温度ＴＡＯより予め定めた制御特性に従ってエアミックスドア２６の開度を決定し（ステップ２７０）、ステップ２８０では、マルチガスセンサ６６の各検知信号の大きさが許容範囲内にあるか否かを評価する各閾値が、適正となるように更新処理する。各ステップ２３０〜２８０の処理結果に応じて各機器を制御し、所望の空調状態に制御することになる（ステップ２９０）。
【００４９】
ここで、ステップ２８０に示す閾値更新処理について、図４および図５を用いて説明する。図５は各検知信号に対する各閾値とその更新もしくは修正状態を示す図である。
【００５０】
まず、閾値更新処理の要領を説明する。自動内外気切替制御している空調状態中で、乗員が手動による内外気の切替を指示したときをトリガとして、閾値更新処理を行う。これは現在の内外気状態が乗員の好みに合わないため切替指示したと判断することにし、内気切替指示があるときは、車室外空気の現行状態が乗員の好みに合わないと推測して、今後この状態の車室外空気は導入しないように閾値を更新もしくは修正（学習）する。他方、外気切替指示があるときは、車室内の換気時を除けば車室外空気の現行状態が乗員の好みに合うと推測して、今後この状態の車室外空気を導入するように閾値を更新もしくは修正（学習）する。それによって、自動内外気切替制御により、これまでより一層乗員の好みに合わせた空調状態を提供することが可能になる。
【００５１】
そこで、図４に示すフローチャートによると、乗員の手動操作による内外気指示信号、および内気ガスセンサ６５からの最新の各検知信号を取り込む（ステップ２８１）。続いて、ステップ２８２において、もし内外気指示信号が出ていなければこの閾値更新処理を終了する。
【００５２】
他方、内気循環を指示する内外気指示信号があればステップ２８３に進み、内外気切替スイッチ５１による切替操作時点から所定時間Ｔ前のマルチガスセンサ６６の各検知信号と各閾値を、記憶装置２０１より読み出す。なお、内外気切替スイッチ５１による切替操作時点に代えて、この閾値更新処理が開始される時点を起点としても実質時間差は微小のため問題ない。読み出した各検知信号の大きさと、乗員に対する許容範囲を設定する各閾値とを比較し、各検知信号のいずれも各閾値より大きければ閾値の更新処理は必要ないと判断して終了する。
【００５３】
また、図５中の検知信号ｇ３，ｇ５に示すように、各検知信号の中に１つでも各閾値より小さいレベルの検知信号があれば、ステップ２８５に進む。このステップ２８５では、閾値より小さい検知信号が生じるガスセンサに対応した閾値を、この検知信号の大きさ（つまり切替操作時点から所定時間Ｔ前の検知信号の大きさ）に変更するように更新処理する。それにより、閾値を小さくして、その後該当する匂いや有害ガスを検知したときには今より低いガス濃度でもって早めに内気循環モードに切り替えることを可能にする。
【００５４】
他方、外気導入を指示する内外気指示信号があればステップ２８６に進み、内気ガスセンサ６５の検知信号があるか否かを確認する。もし、煙草等による煙（喫煙）や臭気を検知したときには、乗員が車室内の換気を要求して外気導入したと推測され、閾値の更新処理は必要ないと判断して終了する。
【００５５】
内気ガスセンサ６５の検知信号がない、もしくは設定値以下のときには、ステップ２８７に進み、切替操作時点から所定時間Ｔ前のマルチガスセンサ６６の各検知信号と各閾値を、記憶装置２０１より読み出す。読み出した各検知信号の大きさと、乗員に対する許容範囲を設定する各閾値とを比較し、各検知信号のいずれも各閾値より小さければ閾値の更新処理は必要ないと判断して終了する。
【００５６】
また、図５中の検知信号ｇ１０，ｇ１３に示すように、各検知信号の中に１つでも各閾値より大きい検知信号があれば、ステップ２８９に進む。このステップ２８９では、閾値より大きい検知信号が生じるガスセンサに対応した閾値を、この検知信号の大きさ（つまり切替操作時点から所定時間Ｔ前の検知信号の大きさ）に変更するように更新処理する。それにより、閾値を大きくして、今後この大きさに該当する匂いを検知したときには今より高いガス濃度にならないと内気循環モードに切り替えないようにすることを可能にする。
【００５７】
これは、車室外空気に含まれる匂いの中で、森の香りであるα―ピネン、β―ピネン、サビネンなどの香気を感じて乗員が外気切替指示をしたときには、該当する匂いの閾値を大きくする。それにより、閾値更新後は、このような匂いの検知信号のレベルが今回程度に大きくても、内気循環モードへの切替を行わないようにし、外気導入を継続して車室内の空調状態をできる限り乗員の好みに合わせることが可能になる。
【００５８】
（第２実施形態）
上記第１実施形態では、手動操作により外気導入を指示する内外気指示信号があるとき、マルチガスセンサ６６で検知する全ての匂いや有害ガスについて各閾値を更新もしくは修正対象としていたが、乗員が外気導入モードを選択する条件は限られているため、香気に関係する匂い成分について閾値を更新処理するだけでよい。そこで、第２実施形態では、いずれの乗員にも共通して問題とされる臭気や有害ガスについては各閾値の更新処理を行わず、乗員の好みにバラツキが大きくなる匂いの中の香気対象についてのみ閾値の更新処理を行うようにした実施形態である。
【００５９】
第２実施形態となる閾値更新処理２８０について、図６および図７を用いて説明する。図７は各検知信号に対する各閾値とその更新（修正）状態を示す図である。
【００６０】
図７に示す閾値更新処理の主な作動は図４のそれと同じであり、ステップ２８７Ａ，２８８Ａ，２８９Ａが少し異なる。そこで第１実施形態と異なる点を中心に説明する。
【００６１】
ステップ２８２において、手動による外気導入を指示する内外気指示信号があればステップ２８６に進み、内気ガスセンサ６５の検知信号があるか否かを確認する。もし、煙草等による煙（喫煙）や臭気を検知したときには、乗員が車室内の換気を要求して外気導入したと推測され、閾値の更新処理は必要ないと判断して終了する。
【００６２】
内気ガスセンサ６５の検知信号がない、もしくは設定値以下の許容範囲内にあるときには、ステップ２８７Ａに進む。このステップ２８７Ａでは、切替操作時点から所定時間Ｔ前のマルチガスセンサ６６の各検知信号の中で、香気を検知するガスセンサの各検知信号とそれに対応する各閾値を、記憶装置２０１より読み出す。読み出した各検知信号の大きさと、乗員に対する許容範囲を設定する各閾値とを比較し、各検知信号のいずれも各閾値より小さければ閾値の更新処理は必要ないと判断して終了する。
【００６３】
また、図７中の検知信号ｇ９，ｇ１２に示すように、各検知信号の中に１つでも各閾値より大きい検知信号があれば、ステップ２８９Ａに進む。このステップ２８９Ａでは、閾値より大きい検知信号が生じるガスセンサに対応した閾値を、この検知信号の大きさ（つまり切替操作時点から所定時間Ｔ前の検知信号の大きさ）に変更するように更新処理する。それにより、閾値を大きくすることで、今後この大きさに該当する匂い（香気）を検知したときには今より高いガス濃度にならないと内気循環モードに切り替えないようにして、車室外空気中に含まれる香気ができる限り車室内に導入され易くし、乗員の好みに合わせることが可能になる。
【００６４】
（第３実施形態）
上記第１実施形態では、乗員が手動操作して外気導入モードにあるとき、マルチガスセンサ６６からの各検知信号を評価する閾値の更新処理を行うための前提条件として、車室内の換気時、つまり内気ガスセンサ６５が煙草等による煙（喫煙）や臭気を検知したときを除いていた（ステップ２８６）。しかし、換気時以外にも、雨天など高湿度下では窓ガラスが曇りやすく、窓ガラスの曇り防止のために乗員が手動で外気導入モードを選択する可能性もある。
【００６５】
そこで、第３実施形態では、閾値の更新処理を行うための前提条件をさらに制限し、換気時や窓曇り防止時を除く、限られた条件のときに閾値の更新もしくは修正処理を行い、より一層乗員の好みに合わせることを可能にしている。
【００６６】
第３実施形態となる閾値更新処理２８０について、図８を用いて説明する。図８に示す閾値更新処理の主な作動は図４のそれと同じであり、ステップ２８１Ａと、ステップ２８００が追加された点が異なる。
【００６７】
図１中に破線で示す湿度センサ６７は、車室外空気の湿度を検出する構成であり、通常内外気切替箱Ａの外気吸入口２２の外側近傍に配置される。ステップ２８１Ａでは、内気ガスセンサ６５の検知信号、手動による内外気指示信号の他に、湿度センサ６７からの湿度信号を取り込む。ステップ２８２において、手動による外気導入を指示する内外気指示信号があればステップ２８６に進み、内気ガスセンサ６５の検知信号があるか否かを確認する。もし、煙草等による煙（喫煙）や臭気を検知したときには、乗員が車室内の換気を要求して外気導入したと推測され、閾値の更新処理は必要ないと判断して終了する。
【００６８】
内気ガスセンサ６５の検知信号がない、もしくは設定値以下で乗員にとって許容範囲内にあるときには、ステップ２８００に進む。このステップ２８００では、車室外空気の湿度が所定値より高いか低いかを確認する。もし、湿度が高いときには窓ガラスの曇り防止のために外気導入したと推測され、閾値の更新処理は必要ないと判断して終了する。他方、湿度が高くなければステップ２８７〜２８９に進み、閾値の更新処理を行う。
【００６９】
それにより、乗員が外気導入モードを手動選択した中で、室内の臭気や喫煙時の換気および窓曇り防止の場合を除くことにより、乗員が快適性向上のために外気導入モードを選択する機会をより確実に捉えて閾値を更新することが可能となり、より一層乗員の好みに合わせ、車室内環境を快適にすることが可能となる。
【００７０】
なお、上記の各実施形態の各ステップ２８５、２８９では、マルチガスセンサ６６で検知した検知信号の大きさに現行の閾値を更新処理していたが、比較的臭気性の低い匂いや有害性の低いガス成分等の回避の緊急性が低い場合には、内外気切替スイッチ５１の選択頻度に応じて閾値を所定量ずつ段階的に修正もしくは学習するようにし、閾値の変動を少なくして車室内の空調環境を徐々に変化させるようにしてもよい。
【００７１】
また、上記の各実施形態では、乗員の内外気の好みを、既存の内外気切替スイッチ５１による切替情報をトリガとして判断していたが、既存スイッチでなくとも、内外気選択に関する乗員の意志がエアコン制御装置２００に伝達できる手段であればいずれの手段でもよい。
【００７２】
また、上記の各実施形態の各ステップ２８３、２８７では、記憶装置２０１より、乗員が匂いを感知して切り替える切替操作時点からＴ秒前のマルチガスセンサ６６の検知信号を読み出しているが、図２に示すエアコン制御ルーチンは高速処理されているため、切替操作時点でなくともそれに応じて処理する時点、例えば閾値更新処理２８０を開始する時点から所定時間Ｔ前の各検知信号のデータを読み出すようにしてもよい。
【図面の簡単な説明】
【００７３】
【図１】本発明の第１実施形態である移動体用空調装置の全体構成を示す模式図である。
【図２】エアコン制御装置２００のメインルーチンを示すフローチャートである。
【図３】エアコン制御装置２００の内外気切替処理を示すフローチャートである。
【図４】エアコン制御装置２００の閾値更新処理を示すフローチャートである。
【図５】図４に示す各検知信号の閾値更新処理を補足する説明図である。
【図６】本発明の第２実施形態であるエアコン制御装置２００の閾値更新処理を示すフローチャートである。
【図７】図６に示す各検知信号の閾値更新処理を補足する説明図である。
【図８】本発明の第３実施形態であるエアコン制御装置２００の閾値更新処理を示すフローチャートである。
【符号の説明】
【００７４】
A  内外気切替箱（内外気切替手段）
B  吹出口切替箱
２０  空調ダクト
２１  内気吸入口
２２  外気吸入口
５０  操作パネル
５１  内外気切替スイッチ
６５  内気ガスセンサ
６６  マルチガスセンサ
６７  湿度センサ
１００  エアコンユニット
２００  エアコン制御装置（制御手段）
２０１  記憶装置
【図１】
2005170255.tif 000003
【図２】
2005170255.tif 000004
【図３】
2005170255.tif 000005
【図４】
2005170255.tif 000006
【図５】
2005170255.tif 000007
【図６】
2005170255.tif 000008
【図７】
2005170255.tif 000009
【図８】
2005170255.tif 000010